(57)【要約】【課題】固形糊の使用残部を少なくして有効に接着の用に供することができるとともに、紙面等を損傷させない固形糊繰出用容器を提供する。【解決手段】筒体３の一端に接着された尾栓４と一体に形成されたネジ杆５に螺合させて、前記筒体３内を昇降可能としたスライダー２に、柱状の固形糊７を装着させて、筒体３より固形糊７の先端を出没自在とするための固形糊繰出用容器１であって、前記スライダー２を、板体８の、固形糊７を装着する側の中央部に、前記ネジ杆５を螺合して貫通させる筒状体９を設けるとともに、その筒状体９に、外側方に向けて突出し、かつ少なくとも外端部が、前記筒状体９の軸線方向に変形可能な係止突起１０を形成したものとする。【選択図】　　　　図１
2004025626.tif 000002
【特許請求の範囲】
【請求項１】
筒体の一端に装着された尾栓の回動により、尾栓と一体に形成されたネジ杆を筒体内で回動させることによって、そのネジ杆との螺合と、筒体内周面に軸線方向に設けた案内突条による案内とによって、筒体内を昇降させるスライダーを備え、そのスライダーに柱状の固形糊を装着させて、筒体より固形糊の先端を出没自在とするための固形糊繰出用容器であって、
前記スライダーを、板体の、固形糊を装着する側の中央部に、前記ネジ杆を螺合して貫通させる筒状体を設けるとともに、その筒状体に、外側方に向けて突出し、かつ少なくとも外端部が、前記筒状体の軸線方向に変形可能な係止突起を形成したものとしたことを特徴とする固形糊繰出用容器。
【請求項２】
前記係止突起を、前記筒状体の先端に筒状体と同軸に設けた円板状または多角形板状のものとしたことを特徴とする請求項１に記載の固形糊繰出用容器。
【請求項３】
前記係止突起に、容易に破断し得る線状の易破断部を設けることにより、係止突起を、前記筒状体の軸線方向に変形可能としたことを特徴とする請求項１または２に記載の固形糊繰出用容器。
【請求項４】
前記線状の易破断部を、ミシン目状切込線としたことを特徴とする請求項３に記載の固形糊繰出用容器。
【請求項５】
前記係止突起を多孔板とすることにより、係止突起を、前記筒体の軸線方向に変形可能としたことを特徴とする請求項１または２に記載の固形糊繰出用容器。
【請求項６】
筒体の一端に装着された尾栓の回動により、尾栓と一体に形成されたネジ杆を筒体内で回動させることによって、そのネジ杆との螺合と、筒体内周面に軸線方向に設けた案内突条による案内とによって、筒体内を昇降させるスライダーを備え、そのスライダーに柱状の固形糊を装着させて、筒体より固形糊の先端を出没自在とするための固形糊繰出用容器であって、
前記スライダーを、板体の、固形糊を装着する側と反対側の中央部に、前記ネジ杆を螺合して貫通させる筒状体を設けるとともに、固形糊を装着する側に、前記筒状体と同軸に、筒状体よりも大きい径を有し、軸線方向の圧力によって、圧縮変形し得る多孔筒状体を設け、かつ前記多孔筒状体の先端に、外側方に向けて突出する係止突起を形成したものとしたことを特徴とする固形糊繰出用容器。
【請求項７】
前記係止突起を、前記多孔筒状体の先端に、多孔筒状体と同軸に設けた円板状または多角形板状のものとしたことを特徴とする請求項６記載の固形糊繰出用容器。
【請求項８】
前記多孔筒状体の周壁の上下中央部を、外側に向けて膨出湾曲させたことを特徴とする請求項６または７に記載の固形糊繰出用容器。
【請求項９】
前記多孔筒状体の周壁に、一定方向に傾斜する軸線方向の多数の傾斜孔を設けることにより、係止突起は、軸線方向の荷重を受けると、一定方向にやや回転しうるようにしたことを特徴とする請求項６または７に記載の固形糊繰出用容器。
【発明の詳細な説明】
【０００１】
【発明の属する技術分野】
本発明は、固形糊繰出用容器に関する。
【０００２】
【従来の技術】
固形糊繰出用容器は、たとえば、特開平１１−５９０８０号公報、特公平８−５５０２号公報、実用新案登録第２５３４９４３号公報等に記載されている。
【０００３】
これらのものは、図８に中央縦断面図を示すように、筒体（０１）の一端に装着された尾栓（０２）の回動により、尾栓（０２）と一体に形成されたネジ杆（０３）を筒体（０１）内で回動させることによって、該ネジ杆（０３）との螺合と、筒体（０１）内周面に軸線方向に設けた案内突条（０４）による案内とによって、スライダー（０５）を筒体（０１）内を昇降させるようにし、このスライダー（０５）に固形糊（０６）の後端を保持させて、固形糊（０６）の先端を、筒体（０１）から出没自在としてある。
【０００４】
ところで、前記スライダー（０５）は、ネジ杆（０３）が螺合する貫通孔を有する有底円筒形のものとされている。
【０００５】
しかし、前記のようなスライダー（０５）には、次のような問題がある。
ａ）　棒状の固形糊（０６）の一端が、有底円筒形のスライダー（０５）に単に挿填された状態となっているため、たとえば使用中に、固形糊（０６）の先端が被塗布面に接着して引張られると、固形糊（０６）がスライダー（０５）から抜け出すことがある。
【０００６】
ｂ）　固形糊（０６）の全長のうち、通常、１５％前後の後端部分が、有底円筒形のスライダー（０５）の内部に挿填されているが、この挿填された固形糊部分は、接着に有効に用いることができず無駄になる。
【０００７】
上記の問題点を解決するために、本願出願人は、先に、特願平１１−１４９０５８号（特開２０００−３３５１９号）として、新規なスライダーを提案した。
【０００８】
前記先願のスライダーは、その一実施形態を、図９に斜視図をもって、また図１０に、図９におけるＸ〜Ｘ線縦断面図に示すように、ネジ杆（０３）が貫通することとなる板体（０７ａ）の中央部を円柱状（０７ｂ）とするとともに、その側面に、外方に向けて突出する単数あるいは複数の係止突起（０７ｃ）（０７ｃ）を一体に形成したスライダー（０７）である。
【０００９】
このようなスライダー（０７）を用いることによって、従来の有底円筒形のスライダー（０５）にみられた固形糊の抜け出しを防止することができる。
すなわち、液状の糊を、固化させて棒状の固形糊とするとともに、前記スライダー（０７）に保持させる際に、液状の糊が、前記スライダー（０７）の板体（０７ａ）と係止突起（０７ｃ）との間や、係止突起（０７ｃ）（０７ｃ）の間に入り込んで固化するため、棒状の固形糊に対して、その軸線方向にスライダー（０７）から離脱する向きの力が作用しても、固形糊は、前記外向きの係止突起（０７ｃ）（０７ｃ）に係止しているため、スライダー（０７）から離脱することはない。
【００１０】
更に、前記先願のスライダー（０７）には、前記公知のスライダー（０５）のように、スライダーの周縁に筒面が存在しないため、固形糊のスライダー（０７）側の端部周面が外部に露出しており、そのため、前記係止突起（０７ｃ）（０７ｃ）の外周端が固形糊から露出するまで、固形糊の端部周面部分を有効に接着に供することができる。
【００１１】
図１１は、図９に示すスライダー（０７）を用いた固形糊繰出用容器（０８）に、固形糊（０９）を装着して使用する状態を示す中央縦断面図である。
使用により、固形糊（０９）の残部がスライダー（０７）近傍部分のみに残った場合にも、紙面（０１０）等に押圧された固形糊（０９）の外周部（０９ａ）を有効に接着に供することができる。
【００１２】
しかしながら、かかるスライダー（０７）には、次のような問題がある。
（１）　スライダー（０７）の係止突起（０７ｃ）の外周縁が紙面（０１０）等に当接するために、係止突起（０７ｃ）の外周縁よりも内部に残存する部分の固形糊（０９）は、接着の用に供することができない。
（２）　係止突起（０７ｃ）の外周縁が、紙面（０１０）等を擦り、その表面を損傷させる場合がある。
【００１３】
【発明が解決しようとする課題】
本発明は、前記先願で提案したスライダーを、さらに改良し、固形糊の使用残部を少なくして、可及的有効に接着に供することができるようにするとともに、紙面等を損傷させることのない固形糊繰出用容器を提供することを目的とする。
【００１４】
【課題を解決するための手段】
本発明によると上記課題は、次のようにして解決される。
（１）　筒体の一端に装着された尾栓の回動により、尾栓と一体に形成されたネジ杆を筒体内で回動させることによって、そのネジ杆との螺合と、筒体内周面に軸線方向に設けた案内突条による案内とによって、筒体内を昇降させるスライダーを備え、そのスライダーに柱状の固形糊を装着させて、筒体より固形糊の先端を出没自在とするための固形糊繰出用容器であって、前記スライダーを、板体の、固形糊を装着する側の中央部に、前記ネジ杆を螺合して貫通させる筒状体を設けるとともに、その筒状体に、外側方に向けて突出し、かつ少なくとも外端部が、前記筒状体の軸線方向に変形可能な係止突起を形成したものとする。
【００１５】
（２）　上記（１）項において、前記係止突起を、前記筒状体の先端に筒状体と同軸に設けた円板状または多角形板状のものとする。
【００１６】
（３）　上記（１）項または（２）項において、前記係止突起に、容易に破断し得る線状の易破断部を設けることにより、係止突起を、前記筒状体の軸線方向に変形可能とする。
【００１７】
（４）　上記（３）項において、前記線状の易破断部を、ミシン目状切込線とする。
【００１８】
（５）　上記（１）項または（２）項において、前記係止突起を多孔板とすることにより、係止突起を、前記筒体の軸線方向に変形可能とする。
【００１９】
（６）　筒体の一端に装着された尾栓の回動により、尾栓と一体に形成されたネジ杆を筒体内で回動させることによって、そのネジ杆との螺合と、筒体内周面に軸線方向に設けた案内突条による案内とによって、筒体内を昇降させるスライダーを備え、そのスライダーに柱状の固形糊を装着させて、筒体より固形糊の先端を出没自在とするための固形糊繰出用容器であって、前記スライダーを、板体の、固形糊を装着する側と反対側の中央部に、前記ネジ杆を螺合して貫通させる筒状体を設けるとともに、固形糊を装着する側に、前記筒状体と同軸に、筒状体よりも大きい径を有し、軸線方向の圧力によって、圧縮変形し得る多孔筒状体を設け、かつ前記多孔筒状体の先端に、外側方に向けて突出する係止突起を形成したものとする。
【００２０】
（７）　上記（６）項において、前記係止突起を、前記多孔筒状体の先端に、多孔筒状体と同軸に設けた円板状または多角形板状のものとする。
【００２１】
（８）　上記（６）項または（７）項において、前記多孔筒状体の周壁の上下中央部を、外側に向けて膨出湾曲させる。
【００２２】
（９）　上記（６）項または（７）項において、前記多孔筒状体の周壁に、一定方向に傾斜する軸線方向の多数の傾斜孔を設けることにより、係止突起は、軸線方向の荷重を受けると、一定方向にやや回転しうるようにする。
【００２３】
【発明の実施の形態】
図１は、本発明の一実施形態の固形糊繰出用容器（１）の使用状態を示す中央縦断面図、図２は、図１に示す固形糊繰出用容器（１）におけるスライダー（２）の下方斜視図である。
【００２４】
本発明の固形糊繰出用容器（１）は、従来公知のものと同様に、筒体（３）の一端に装着された尾栓（４）の回動により、尾栓（４）と一体に形成されたネジ杆（５）を筒体（３）内で回動させることによって、そのネジ杆（５）との螺合と、筒体（３）内周面に軸線方向に設けた案内突条（６）による案内とによって、筒体（３）内を昇降させられるスライダー（２）を備え、そのスライダー（２）に柱状の固形糊（７）を装着させて、筒体（３）より固形糊（７）の先端を出没自在としうるようになっている。
【００２５】
本発明の固形糊繰出用容器は、それに組み込まれているスライダー（２）に特徴がある。
すなわち、本発明における代表的な実施形態のスライダー（２）は、図２に示すように、板体（８）の下面、すなわち固形糊（７）を装着する側の中央部に、前記ネジ杆（５）を螺合して貫通させる筒状体（９）を設けるとともに、その筒状体（９）の先端に、外方に向けて突出し、かつ少なくとも外端部（１０ａ）が、前記筒状体（９）の軸線方向に変形可能な係止突起（１０）を形成したものである。
【００２６】
係止突起（１０）は、筒状体（９）の下端に、この筒状体（９）と同軸に、中心部に開口（１０ｂ）を設けた円板状の係止突起（１０）（以下、「係止円板」ともいう）を設けて形成されている。なお、係止円板に代えて、たとえば多角形板状の係止突起としてもよい。
【００２７】
この係止円板（１０）には、その外端部（１０ａ）を筒状体（９）の軸線方向に変形し易くするため、線状の易破断部（１１）が設けられている。すなわち、厚さが薄い係止円板（１０）に、３つの輪状のミシン目状切込線（１１ａ）（１１ｂ）（１１ｃ）が、同軸に施されるとともに、複数の放射状のミシン目状切込線（１１ｄ）が施されている。
【００２８】
スライダー（２）に、固形糊（７）を装着させるには、別途用意した糊装着用筒体（図示せず）の内底部に、前記スライダー（２）を配設して、上方から液体状の糊を流し込み、冷却して固化させ、次いで前記糊装着用筒体から脱型することによって、固形糊（７）の前端が前記係止円板（１０）に係止され、スライダー（２）に装着された形態のものが得られる。
【００２９】
図１は、固形糊（７）を装着した前記スライダー（２）を用いた固形糊繰出用容器（１）の使用状態を示し、使用により、固形糊（７）の残部がスライダー（２）近傍部分のみに至った場合にも、紙面（Ｐ）等に押圧された固形糊（７）の外周部が消耗するに従い、スライダー（２）の係止円板（１０）が、図示するように、前記のミシン目状切込線（１１ａ）〜（１１ｄ）の部分で容易に折曲または破断して、係止円板（１０）の外端部（１０ａ）が、筒状体（９）の軸線方向の後向きに変形し、そのため、係止円板（１０）と板体（８）間の固形糊（７）の部分をも、可及的有効に接着の用に供することができる。
【００３０】
すなわち、ミシン目状切込線（１１ａ）〜（１１ｄ）における破断の形態を、具体的に説明すれば、次のとおりである。図１において、固形糊繰出用容器（１）の紙面（Ｐ）に対する傾き角度θが小さい場合は、ミシン目状切込線（１１ａ）〜（１１ｄ）において、折り曲がりの変形を生じ、前記傾き角度θが大きくなると、ミシン目状切込線（１１ａ）〜（１１ｄ）において破断し、一般に外端部（１０ａ）に近い部分から順次、分離される。すなわち、径が大きい輪状のミシン目状切込線（１１ａ）〜（１１ｃ）の順に、逐次、それぞれのミシン目状切込線から外端部（１０ａ）側に位置する部分が、分離される。そのため、係止円板（１０）と板体（８）間の固形糊（７）の部分も、表面に露出し、可及的有効に接着の用に供することができる。
【００３１】
図３は、本発明の固形糊繰出用容器におけるスライダー（１２）の別の実施形態を示し、図２に対応する図面である。
本実施形態のスライダー（１２）は、板体（１３）の中央部に立設された筒状体（１４）の先端に、図２に示したスライダー（２）におけるミシン目状切込線（１１ａ）〜（１１ｄ）を施した係止円板（１０）に代えて、水滴状の長孔（１５）が放射状に穿設され、かつ中心部が開口（１６ｂ）された係止円板（１６）を設けて形成されている。
【００３２】
図１に示した固形糊繰出用容器（１）におけるスライダー（２）に代えて、図３に示したスライダー（１２）を取り付けて、固形糊繰出用容器を紙面（Ｐ）に対して傾けた状態で押圧して使用する場合、係止円板（１６）に、水滴状の長孔（１５）が放射状に穿設されているため、係止円板（１６）の外端部（１６ａ）は、容易に、筒状体（１４）の軸線方向の後向きに変形し、前記実施形態の場合と同様に、係止円板（１６）と板体（１３）間の固形糊の部分をも、有効に接着の用に供することができる。
【００３３】
さらに、本実施形態の場合、係止円板（１６）に長孔（１５）が穿設されているため、係止円板（１６）の外端部（１６ａ）の前記変形にともない、係止円板（１６）と板体（１３）間の固形糊が、前記長孔（１５）を通して、紙面（Ｐ）上に容易に供給され、固形糊を一層有効に使用することができる。
【００３４】
図４に示すスライダー（１７）は、板体（１８）の中央部に立設した筒状体（１９）の先端に、図３における、長孔（１５）を穿設した係止円板（１６）に代えて、円孔（２０）を多数穿設した係止円板（２１）を設けて形成されている。
本実施形態のスライダー（１７）を用いた場合も、図３に示したスライダー（１２）の場合と同様の効果を奏することができる。
【００３５】
一般に、係止円板（１６）（２１）に適宜の形状の孔を多数穿設し、固形糊繰出用容器を紙面（Ｐ）に対して傾けた状態で押圧して使用する場合に、係止円板（１６）（２１）の外端（１６ａ）（２１ａ）が、容易に筒状体（１４）（１９）の軸線方向の後端向きに変形し得るようにすればよい。
【００３６】
図５は、スライダー（２２）の、さらに別の実施形態を示す、一部破断正面図である。
本実施形態のスライダー（２２）は、板体（２３）の、固形糊を装着する側と反対側の中央部に、前記ネジ杆（５）（図１参照）を螺合して貫通させる筒状体（２４）を設けるとともに、固形糊を装着する側に、前記筒状体（２４）と同軸に、筒状体（２４）よりも大きい径を有し、軸線方向の圧力によって、圧縮変形し得る多孔筒状体（２５）を設け、かつ前記多孔筒状体（２５）の先端に、中心部が開口（２６ｂ）した係止円板（２６）を設けて形成されている。
前記多孔筒状体（２５）の周壁の上下方向の中央部（２５ａ）は、外側に向けてやや膨出湾曲されている。
【００３７】
図６は、図５に示すスライダー（２２）を備える固形糊繰出用容器（２７）の使用状態を示す図１に相当する図面である。
固形糊繰出用容器（２７）を紙面（Ｐ）に対して傾けた状態で押圧して使用する場合、多孔筒状体（２５）の周壁の中央部（２５ａ）が、予め外側に向けて湾曲されているため、前記押圧によって、前記周壁の中央部（２５ａ）が、一層外側に向けて折り曲がって突出し、それによって、係止円板（２６）が紙面（Ｐ）に沿う向きに傾斜するとともに、係止円板（２６）の外端部（２６ａ）が多少変形し、かつ係止円板（２６）と板体（２３）間の固形糊（２７）は、多孔筒状体（２５）の多孔状の周壁によって外側に向けて押し出される。そのため、前記固形糊（２７）を可及的有効に接着に供することができる。
【００３８】
図７は、スライダー（２８）の、さらに別の実施形態を示す図５に相当する図面である。
本実施形態のスライダー（２８）は、図５に示したものと同様に、板体（２９）の、固形糊を装着する側と反対側の中央部に、ネジ杆（５）を螺合して貫通させる筒状体（３０）を設けるとともに、固形糊を装着する側に、前記筒状体（３０）と同軸に、筒状体（３０）よりも大きい径を有する多孔筒状体（３１）を設け、かつ前記多孔筒状体（３１）の先端に、中心部が開口（３２ａ）した係止円板（３２）を設けて形成されている。
【００３９】
本実施形態のスライダー（２８）の特徴は、多孔筒状体（３１）の周壁（３１ａ）における孔（３１ｂ）の形態にある。すなわち、周壁（３１ａ）の全面に亘って、軸線方向の細長い傾斜孔（３１ｂ）が一定方向に穿設されており、隣接する傾斜孔（３１ｂ）間の多数の傾斜した細長い針状体（３１ｃ）をもって、係止円板（３２）を板体（２９）上に支持している形態となっている。そのため、使用のために紙面等に押圧すると、係止円板（３２）は、中心軸まわりにある程度回転しながら、板体（２９）に接近する。
【００４０】
この係止円板（３２）の回転によって、係止円板（３２）と板体（２９）の固形糊は、紙面上に供給され易くなり、固形糊の有効利用に資することができる。
【００４１】
【発明の効果】
本発明によると、次のような効果を奏する。
（１）　請求項１記載の発明によれば、使用により固形糊の残部が、スライダー近傍部分のみに至った場合にも、紙面等に押圧された固形糊の外周部が消耗するに従い、スライダーの係止突起が、筒状体の軸線方向に変形し、そのため係止突起の近傍の固形糊の部分をも接着の用に有効に供することができる。
さらに、係止突起が変形するため、使用の際に紙面等を損傷することもない。
【００４２】
（２）　請求項２記載の発明によれば、固形糊を、スライダーに確実、かつ均一な力で保持することができる。
【００４３】
（３）　請求項３記載の発明によれば、使用により固形糊の残部が、スライダー近傍部分のみに至った場合にも、紙面等に押圧された固形糊の外周部が消耗するに従い、スライダーの係止突起が、易破断部で容易に折曲または破断して、係止突起の外端部が、筒状体の軸線方向の後端向きに変形し、係止突起と板体間の固形糊が露出し、そのため、係止突起の近傍の固形糊の部分をも接着の用に有効に供することができる。
【００４４】
（４）　請求項４記載の発明によれば、易破断部を、容易に形成することができるとともに、請求項３記載の発明と同様な効果を奏する。
【００４５】
（５）　請求項５記載の発明によれば、変形可能な係止突起を、容易に形成することができる。
【００４６】
（６）　請求項６記載の発明によれば、係止突起自体が変形し難い場合においても、紙面に対して、係止突起を容易に傾斜させることができ、それによって、請求項１記載の発明の効果を奏することができる。
【００４７】
（７）　請求項７記載の発明によれば、請求項２記載の発明と同様な効果を奏することができる。
【００４８】
（８）　請求項８記載の発明によれば、使用中における紙面等への押圧によって、多孔筒状体の周壁の中央部が、外側向きに一層突出して、折曲または湾曲し、それにともない、係止突起と板体間の固形糊を、前記周壁により外側向きに押出すため、前記固形糊を一層有効に接着の用に供することができる。
【００４９】
（９）　請求項９記載の発明によれば、使用のために紙面等を押圧すると、係止突起は若干回転し、固形糊は紙面等へ供給され易くなる。
【図面の簡単な説明】
【図１】本発明の一実施形態の固形糊繰出用容器の使用状態を示す中央縦断面図である。
【図２】図１に示す固形糊繰出用容器におけるスライダーの下方斜視図である。
【図３】本発明の固形糊繰出用容器におけるスライダーの別の実施形態を示す、図２に相当する図面である。
【図４】同じく、スライダーの別の実施形態を示す、図２に相当する図面である。
【図５】同じく、スライダーの別の実施形態を示す、図２に相当する図面である。
【図６】図５に示すスライダーを備える固形糊繰出用容器の使用状態を示す、図１に相当する図面である。
【図７】本発明の固形糊繰出用容器におけるスライダーの別の実施形態を示す、図２に相当する図面である。
【図８】従来公知の固形糊繰出用容器の中央縦断面図である。
【図９】本願出願人が、先願において提案したスライダーの斜視図である。
【図１０】図９に示すスライダーの中央縦断面図である。
【図１１】図９に示すスライダーを備える固形糊繰出用容器に、固形糊を装着した場合の使用状態を示す中央縦断面図である。
【符号の説明】
（１）固形糊繰出用容器
（２）スライダー
（３）筒体
（４）尾栓
（５）ネジ杆
（６）案内突条
（７）固形糊
（８）板体
（９）筒状体
（１０）係止突起（係止円板）
（１０ａ）外端部
（１０ｂ）開口
（１１）易破断部
（１１ａ）（１１ｂ）（１１ｃ）（１１ｄ）ミシン目状切込線
（１２）スライダー
（１３）板体
（１４）筒状体
（１５）長孔
（１６）係止円板
（１６ａ）外端部
（１６ｂ）開口
（１７）スライダー
（１８）板体
（１９）筒状体
（２０）円孔
（２１）係止円板
（２１ａ）外端部
（２２）スライダー
（２３）板体
（２４）筒状体
（２５）多孔筒状体
（２５ａ）中央部
（２６）係止円板
（２６ａ）外端部
（２６ｂ）開口
（２７）固形糊
（２８）スライダー
（２９）板体
（３０）筒状体
（３１）多孔筒状体
（３１ａ）周壁
（３１ｂ）傾斜孔
（３１ｃ）針状体
（３２）係止円板
（３２ａ）開口
（０１）筒体
（０２）尾栓
（０３）ネジ杆
（０４）案内突条
（０５）スライダー
（０６）固形糊
（０７）スライダー
（０７ａ）板体
（０７ｂ）円柱状
（０７ｃ）係止突起
（０８）固形糊繰出用容器
（０９）固形糊
（０９ａ）外周部
【図１】
2004025626.tif 000003
【図２】
2004025626.tif 000004
【図３】
2004025626.tif 000005
【図４】
2004025626.tif 000006
【図５】
2004025626.tif 000007
【図６】
2004025626.tif 000008
【図７】
2004025626.tif 000009
【図８】
2004025626.tif 000010
【図９】
2004025626.tif 000011
【図１０】
2004025626.tif 000012
【図１１】
2004025626.tif 000013